(57)【特許請求の範囲】
【請求項１】
地図データ中の複数の施設について、施設名称および住所がカテゴリごとにグループ化された施設検索データを記憶する施設検索データ記憶手段と、
前記施設検索データ中のカテゴリを指定することにより、指定されたカテゴリに含まれる施設を検索する施設検索手段と、
前記施設検索手段により検索された各々の施設について、施設名称を指定されたカテゴリの名称と比較し、カテゴリの名称と施設名称とが同一の場合、施設の住所を施設の表示名称として決定し、カテゴリの名称と施設名称の前部分のみとが同一の場合、施設名称の後部分を施設の表示名称として決定し、施設名称にカテゴリの名称と一致する部分がない場合、施設名称を施設の表示名称として決定する表示名称変更手段と、
前記施設検索手段により指定されたカテゴリに含まれる施設が検索された時、前記表示名称変更手段により決定された施設の前記表示名称を表示する検索施設表示手段と、
前記検索施設表示手段により表示された前記表示名称中から、所望する施設の前記表示名称を選択して車両の目的地として入力する目的地入力手段と、
車両の現在地を検出する現在地検出手段と、
前記現在地検出手段により検出された車両の現在地と、前記目的地入力手段により入力された車両の目的地とをつなぐように、前記地図データ上において車両が走行する誘導経路を形成する経路探索手段と、
前記経路探索手段により形成された前記誘導経路に従って車両の進路を案内する経路案内手段とを備えたことを特徴とする車載ナビゲーション装置。
【請求項２】
前記施設検索手段により施設を検索する場合、複数のカテゴリを指定することが可能であり、複数のカテゴリが指定されて施設が検索された場合、前記表示名称変更手段は決定された前記表示名称中に指定されたカテゴリごとに異なる識別マークを含ませることを特徴とする請求項１記載の車載ナビゲーション装置。
【請求項３】
前記施設検索データ記憶手段は、施設が検索される以前に前記表示名称変更手段により予め決定された前記表示名称を記憶しており、施設が検索された場合、前記検索施設表示手段は前記施設検索データ記憶手段により記憶された前記表示名称を表示することを特徴とする請求項１または２記載の車載ナビゲーション装置。
【請求項４】
前記表示名称変更手段は、前記表示名称として決定した複数の施設の住所が単一の地域内にある場合、前記表示名称としての住所から共通する地域名を省略することを特徴とする請求項１乃至３のいずれかに記載の車載ナビゲーション装置。
【請求項５】
前記表示名称変更手段は、前記表示名称として決定した複数の施設の住所が互いに区別可能な場合、前記表示名称としての住所の末尾を省略することを特徴とする請求項１乃至４のいずれかに記載の車載ナビゲーション装置。
【発明の詳細な説明】
【技術分野】
【０００１】
本発明は、車両の現在地と目的地とをつなぐ誘導経路を形成し、誘導経路に従って車両の進路を案内する車載ナビゲーション装置に関する。
【背景技術】
【０００２】
車載ナビゲーション装置は、検出された車両の現在地と入力された目的地とをつなぐように地図データ上において誘導経路を形成し、それに従って、車両の進路を案内（経路案内）している。また、目的地に加えて車両が途中で立寄る地点（中継地点）が入力され、車両の現在地、中継地点および目的地を順につなぐように誘導経路を形成することもある。
【０００３】
従来より、地図データ上の施設をカテゴリごとに分類した施設検索データを備え、ユーザがカテゴリを指定することにより指定したカテゴリに含まれた施設を検索し、検索された施設をユーザが入力することにより車両の目的地あるいは中継地点を設定するナビゲーション装置があった。これは、表示装置に指定のカテゴリに含まれる複数の施設が表示され、表示された中からユーザが選択した施設を目的地等として設定するものであり、ユーザにとって施設の位置が不明であっても、所望するカテゴリに含まれる施設を目的地等として設定できるという特長を有する。
その一方、この従来技術においては、カテゴリごとに検索された複数の施設を表示するため、表示された施設を互いに区別可能に表示する必要があった。特に、カテゴリに基づいて検索された施設の場合、施設名称がカテゴリ名称と同一であることが多く、その結果、複数の施設名称が互いに同一の名称となることがあった。
【０００４】
図９に示すように、ナビゲーション装置のメモリに、例えばチェーン店である「△△エイト」というカテゴリに含まれる５つの施設名称および住所が施設検索データとして記憶されている場合、「△△エイト」に基づき検索された検索後の施設名称をそのまま表示すると、「△△エイト」という表示が頻出して、施設名称が互いに区別しにくくなる（図１０示）。また、施設名称を互いに区別しやすくするために「△△エイト」の後に表示を追加すれば、施設名称が長くなり表示装置の表示領域を広くする必要がある。
このような課題に対する従来技術として、検索された複数の施設中に同一名称のものがある場合、それらの施設名称とともに住所を表示するものがあった（例えば、特許文献１参照）。この従来技術によれば、検索された複数の施設中に同一名称のものがあっても、それらの住所により互いに区別可能に表示することができる。
【特許文献１】特開平１１−８５７７８号公報
【発明の開示】
【発明が解決しようとする課題】
【０００５】
しかしながら、通常、ユーザにとって馴染みのある施設であっても、ユーザがその住所まで知っていることは少なく、上述した従来技術のように住所のみで区別された施設表示を見ても、どこにある施設かユーザにとって即座には分からず、目的地等としての施設の設定に手間と時間を要していた。
本発明は上記事情に鑑みてなされたものであり、その目的は、目的地等の設定の容易な車載ナビゲーション装置を提供することにある。
【課題を解決するための手段】
【０００６】
請求項１記載の車載ナビゲーション装置によれば、指定されたカテゴリに基づき検索された各々の施設について、施設名称を指定されたカテゴリの名称と比較し、カテゴリの名称と施設名称とが同一の場合、施設の住所を施設の表示名称とし、カテゴリの名称と施設名称の前部分のみとが同一の場合、施設名称の後部分を施設の表示名称とし、施設名称にカテゴリの名称と一致する部分がない場合、施設名称を施設の表示名称として表示する。
【０００７】
これにより施設名称が、施設の住所、施設名称の後部分および施設名称そのもののいずれかにより表示されるため、表示された複数の施設を互いに区別しやすくなる。また、ユーザは表示された施設名称の後部分あるいは施設名称そのものを見ることにより、これらの施設がどこにある施設かを知ることができるため、住所により表示された施設はそれ以外の施設であることから、住所により表示された施設についてもどこにある施設かを知ることができる。したがって、施設の選択に要する手間と時間を低減でき、目的地等の設定を容易に行うことができる。
【０００８】
請求項２記載の車載ナビゲーション装置によれば、施設を検索する場合、複数のカテゴリを指定することが可能であり、複数のカテゴリが指定されて施設が検索された場合、施設の表示名称中に指定されたカテゴリごとに異なる識別マークを含ませる。これにより、異なるカテゴリ間において同一の施設名称があっても、これらの表示名称を識別マークによりカテゴリと関連づけて互いに区別することが可能となる。
【０００９】
請求項３記載の車載ナビゲーション装置によれば、施設が検索される以前に予め決定された表示名称が記憶されており、施設が検索された場合、記憶された表示名称が表示される。これにより、表示名称を決定する時間を節約することができ、カテゴリを指定してから検索された施設が表示されるまでの時間が短縮できる。
【００１０】
請求項４記載の車載ナビゲーション装置によれば、表示名称として決定した複数の施設の住所が単一の地域内にある場合、表示名称としての住所から共通する地域名を省略する。これにより、検索施設表示手段が施設の表示名称を表示する場合、施設が表示される表示領域を小さくできるため、検索施設表示手段を小型化できる。
【００１１】
請求項５記載の車載ナビゲーション装置によれば、表示名称として決定した複数の施設の住所が互いに区別可能な場合、表示名称としての住所の末尾を省略する。これにより、検索施設表示手段が施設の表示名称を表示する場合、施設が表示される表示領域を小さくできるため、検索施設表示手段を小型化できる。
【発明を実施するための最良の形態】
【００１２】
＜実施形態１＞
以下、図１乃至図６に基づいて、本発明の実施形態１による車載ナビゲーション装置１について説明する。図１は、車載ナビゲーション装置１の全体構成を示したブロック図である。ナビゲーション装置１は、マイコンを主体として構成された制御装置２（本発明の施設検索データ記憶手段、施設検索手段、表示名称変更手段、経路探索手段に該当する）、車両（図示せず）の現在位置を検出するための位置検出器３（本発明の現在地検出手段に該当する）、地図データ入力器４、操作スイッチ群５（本発明の目的地入力手段に該当する）、外部メモリ６、カラー液晶ディスプレイ等からなる表示装置７（本発明の検索施設表示手段、経路案内手段に該当する）、スピーカ９（本発明の経路案内手段に該当する）が接続された音声コントローラ８、マイクロホン１１から入力された音声を認識する音声認識装置１０、リモコン１３（本発明の目的地入力手段に該当する）との間でコマンド等の送受信を行うリモコンセンサ１２、車両外部のＶＩＣＳ（Vehicle Information & Communication System：ＶＩＣＳは登録商標）センタ１９との間で無線通信によりデータの送受信を行うＶＩＣＳ送受信機１４から構成されている。
【００１３】
位置検出器３は、車両方位を検出する地磁気センサ１５、車両の回転角速度を検出するジャイロスコープ１６、車両の走行距離を検出する距離センサ１７、人工衛星からの送信電波に基づいて車両（自車）の現在位置を検出（測位）するＧＰＳ（Global Positioning System）のためのＧＰＳ受信機１８を有している。各センサ１５〜１８は、それぞれ性質の異なる誤差を有している。このため、制御装置２は、各センサ１５〜１８の検出値を補間しながら用いることにより、車両の現在位置、進行方向、速度、走行距離、現在時刻等を高精度で検出するようになっている。なお、精度によっては、位置検出器３を上述したセンサ１５〜１８の一部のみで構成してもよい。
【００１４】
地図データ入力器４は、いくつものノードおよびノード同士をつなぐリンクにより形成された道路地図データ、目印データ、マップマッチング用データ、目的地データ（施設データベース）、交通情報を道路データに変換するためのテーブルデータなどの各種データを記録した地図データ記録メディアからデータを読み出すためのドライブ装置により構成されている。地図データ入力器４により読み出された地図データは、制御装置２のメモリ内に記憶される。地図データ記録メディアには、ＤＶＤ等の大容量記憶媒体を用いるのが一般的であるが、メモリカード、ハードディスク装置等の媒体を用いてもよい。
【００１５】
操作スイッチ群５は、表示装置７の画面の近傍に設けられたメカニカルスイッチや、表示装置７の画面上に設けられるタッチパネルスイッチ（後述する選択スイッチ２１およびスクロールスイッチ２２が該当する）を含んで構成されている。ユーザは、この操作スイッチ群５を用いて、車両の目的地、表示装置７の画面や表示態様の切り替え（地図縮尺変更、メニュー表示選択、経路探索、経路案内開始、現在位置修正、音量調整等）を行う各種のコマンドの入力を行い、ナビゲーション装置１を作動させることができる。また、車両の目的地の設定のために施設検索を行う場合、操作スイッチ群５を用いて検索に必要な情報（施設検索条件）を入力したり、表示装置７に表示された検索された施設の表示名称中から、所望する施設の名称を選択して車両の目的地として入力する。
【００１６】
一方、リモコン１３には複数の操作スイッチが設けられており、スイッチ操作によりリモコン１３からリモコンセンサ１２を介して各種の指令信号が制御装置２に送信される。なお、操作スイッチ群５とリモコン１３は、何れの操作によっても制御装置２に同様の機能を実行させることができる。また、外部メモリ６は、例えば着脱可能なフラッシュメモリカード等から構成されている。
【００１７】
表示装置７の画面には、車両の位置周辺の地図が各種縮尺で表示されるとともに、その表示に重ね合わせて、車両の現在位置と進行方向とを示す現在地マーク（ポインタ）が表示される。また、目的地までの経路案内の実行時には経路案内用の画面が表示される。さらに、ユーザが目的地の設定を行うための操作画面、目的地の設定のために施設検索を行うための入力用の画面や、検索されたカテゴリ、施設名称、施設名称から決定された施設の表示名称、各種のメッセージ等も表示される。
【００１８】
音声認識装置１０は、マイクロホン１１を介して入力した音声と内部に記憶する認識用の辞書データとを照合し、入力された音声を認識する。音声コントローラ８は、音声認識装置１０を制御して音声認識結果を制御装置２に出力するとともに、認識された音声はスピーカ９を介してトークバック出力する。また、制御装置２からの音声出力指令に基づいて音声出力信号をスピーカ９に出力する。スピーカ９から出力される音声は、案内に関する音声、操作説明に関する音声、盗難防止機能の動作中であることを報知する音声、音声認識結果に応じたトークバック音声などである。
【００１９】
ＶＩＣＳ送受信機１４は、ＶＩＣＳセンサユニットやＦＭ多重放送受信機（何れも図示せず）などを備えたもので、例えばＶＩＣＳセンサユニットがＶＩＣＳセンタから受信した光／電波ビーコンなどによる道路交通情報やＦＭ多重放送受信機が受信したＦＭ多重放送からの道路交通情報を制御装置２に与える構成となっている。
【００２０】
制御装置２を構成するマイコンはＣＰＵ、メモリ（ＲＡＭ、ＲＯＭ、ＥＥＰＲＯＭ、フラッシュメモリ等）、Ｉ／Ｏなどを備えている。制御装置２は、走行経路に沿って移動可能なように、表示装置７の画面に現在地周辺の道路地図を表示するとともに、車両の現在位置と進行方向を示す現在地マークを道路地図に重ね合わせて表示する。この場合、車両の走行に伴って現在地の表示は地図上を移動し、地図は車両の位置に応じてスクロール表示される。このとき、車両の現在地を道路上にのせるマップマッチングが行われる。
【００２１】
また、制御装置２は位置検出器３により検出された車両の現在地と、操作スイッチ群５により入力された車両の目的地あるいは中継地点とをつなぐように、地図データ上において車両が走行する誘導経路を形成し、形成された誘導経路に従って、表示装置７上の画像およびスピーカ９からの音声により車両の進路を案内する。さらに、制御装置２のメモリ内には地図データが記憶されるとともに、地図データ中の複数の施設について、施設名称および住所がカテゴリごとにグループ化された施設検索データが記憶されている。施設検索データにおいては、複数のカテゴリが上位から下位まで階層的に含まれている。ユーザが施設検索データ中のカテゴリを指定することにより、制御装置２は指定されたカテゴリに含まれる施設を検索する。
【００２２】
次に、図２乃至図６に基づいて、本実施形態の制御装置２による車載ナビゲーション装置１のカテゴリ検索の方法について説明する。カテゴリ検索は、制御装置２のメモリに記憶された施設検索データを用いた施設検索である。最初、図２に示したステップＳ２０１において、カテゴリ検索の初期画面として、表示装置７の表示画面２０において最上位のカテゴリのリストを表示する（図３示）。
【００２３】
次に、ステップＳ２０２において、表示されたリスト中のカテゴリが選択されたか否かが判定される。ユーザは表示画面２０上のタッチパネルスイッチである選択スイッチ２１を用いて所望する下位のカテゴリ（本実施形態において「買う」）を選択した後、選択したカテゴリ「買う」を入力する。カテゴリが選択された場合、指定された下位のカテゴリ「買う」について検索が実行され（ステップＳ２０３）、カテゴリ「買う」について、さらに下位のカテゴリが有るか否かが判定される（ステップＳ２０４）。尚、ステップＳ２０２においてカテゴリが選択されない場合、最上位のカテゴリリストの表示が継続される。
【００２４】
ステップＳ２０４において、カテゴリ「買う」よりも、さらに下位のカテゴリが有ると判定された場合、ステップＳ２０１へと戻り、カテゴリ「買う」に含まれる下位のカテゴリリストが表示される（図４示）。ステップＳ２０２において、再度、上述した場合と同様に下位のカテゴリ（本実施形態において「コンビニエンスストア」）の選択が行われると、指定された下位のカテゴリ「コンビニエンスストア」について検索が実行され（ステップＳ２０３）、カテゴリ「コンビニエンスストア」について、さらに下位のカテゴリが有るか否かが判定される（ステップＳ２０４）。
【００２５】
ステップＳ２０４において、さらに下位のカテゴリが有ると判定された場合、ステップＳ２０１へと戻り、カテゴリ「コンビニエンスストア」よりも下位のカテゴリリストが表示される（図５示）。表示画面２０上のタッチパネルスイッチであるスクロールスイッチ２２を操作して下位のカテゴリ（本実施形態において「△△エイト」）の選択が行われると（ステップＳ２０２）、指定された下位のカテゴリ「△△エイト」について検索が実行され（ステップＳ２０３）、検索されたカテゴリ「△△エイト」よりも、さらに下位のカテゴリが有るか否かが判定される（ステップＳ２０４）。
【００２６】
制御装置２のメモリ内には図５に示したいくつかのカテゴリ（本実施形態においてはコンビニエンスストアの店舗チェーン）ごとに、地図データ中の複数の店舗（以下、施設と言う）について、店舗名称（以下、施設名称と言う）およびその住所がグループ化されて記憶されている（図９示）。尚、図９においては、複数のカテゴリのうち店舗チェーン「△△エイト」のみについて、その一部が図示されている。
【００２７】
施設検索データ中において、カテゴリ「△△エイト」には、施設名称等のデータがグループ化されて存在するのみでさらに下位のカテゴリは無いため、ステップＳ２０５においてＮ＝１とした後、図９に示された、上から１番目の施設の施設名称である「△△エイト」が抽出される（ステップＳ２０６）。以下、図９に示した上からＮ番目の施設を施設（Ｎ）と言い、その施設名称を施設名称（Ｎ）と言う。
【００２８】
次に、カテゴリ名称である「△△エイト」と抽出された施設名称（１）である「△△エイト」とを比較する（ステップＳ２０７）。カテゴリ名称と施設名称（１）とは完全に一致している（同一である）ため（ステップＳ２０８）、施設住所である「愛知県刈谷市Ａ町Ｂ丁目」を施設（１）の表示名称として決定し、制御装置２のメモリ内の施設リストに組込む（ステップＳ２１５）。
【００２９】
次に、ステップＳ２１１において、施設検索データ中にカテゴリ「△△エイト」に含まれる施設（２）があると判定されると、ステップＳ２１２においてＮ＝２とされた後、ステップＳ２０６へと戻る。ステップＳ２０６において、図９に示された施設名称（２）である「△△エイト」が抽出され、カテゴリ名称である「△△エイト」と比較されるが（ステップＳ２０７）、前述した場合と同様に、カテゴリ名称と施設名称（２）とは完全に一致しているため（ステップＳ２０８）、施設（２）についても施設住所である「愛知県安城市Ｃ町Ｄ丁目」を施設（２）の表示名称として決定し、制御装置２のメモリ内の施設リストに組込む（ステップＳ２１５）。
【００３０】
さらに、ステップＳ２１１において、施設検索データ中にカテゴリ「△△エイト」に含まれる施設（３）があると判定されると、ステップＳ２１２においてＮ＝３とされた後、ステップＳ２０６において、図９に示された施設名称（３）である「△△エイト  Ｅ店」が抽出され、カテゴリ名称である「△△エイト」と比較される（ステップＳ２０７）。ここで、カテゴリ名称と施設名称（３）とは完全に一致していないため、ステップＳ２０８からステップＳ２０９へと進んで、カテゴリ名称と施設名称（３）の前部分とが比較される。
【００３１】
ステップＳ２０９において、カテゴリ名称と施設名称（３）の前部分は、ともに「△△エイト」であって一致すると判定されると、施設名称（３）からカテゴリ名称を取り去り、施設名称（３）の後部分「Ｅ店」を施設（３）の表示名称として決定し、制御装置２のメモリ内の施設リストに組込む（ステップＳ２１４）。
【００３２】
次に、ステップＳ２１１において、施設検索データ中にカテゴリ「△△エイト」に含まれる施設（４）があると判定されると、前述した場合と同様のフローを辿り、施設（４）についても施設名称（４）からカテゴリ名称を取り去り、施設名称（４）の後部分「Ｈ店」を施設（４）の表示名称として決定し、制御装置２のメモリ内の施設リストに組込む（ステップＳ２１４）。
【００３３】
次に、ステップＳ２１１において、施設検索データ中にカテゴリ「△△エイト」に含まれる施設（５）があると判定されると、ステップＳ２１２においてＮ＝５とされた後、ステップＳ２０６において、図９に示された施設名称（５）である「池田商店」が抽出され、カテゴリ名称である「△△エイト」と比較される（ステップＳ２０７）。ここで、カテゴリ名称と施設名称（５）とは完全に一致していないため、ステップＳ２０８からステップＳ２０９へと進んで、カテゴリ名称と施設名称（５）の前部分とが比較される。
【００３４】
施設名称（５）には「△△エイト」という名称が使用されておらず、ステップＳ２０９において、カテゴリ名称と施設名称（５）の前部分も一致していないと判定されると、施設名称（５）である「池田商店」を施設（５）の表示名称として決定し、制御装置２のメモリ内の施設リストに組込む（ステップＳ２１０）。
【００３５】
その後、同様にしてカテゴリ名称と施設（Ｎ）の施設名称（Ｎ）との比較が継続され、すべての施設（Ｎ）について比較が終了すると、ステップＳ２１１において、施設検索データ中にカテゴリ「△△エイト」に含まれる施設（Ｎ＋１）がないと判定され、図６に示すように、決定された施設（Ｎ）の各々の表示名称によって形成された施設リストが表示装置７に表示され（ステップＳ２１３）、カテゴリ検索が終了する。
【００３６】
尚、制御装置２は表示名称として施設リストに組込まれた施設（１）および施設（２）の施設住所について、これらが互いに区別可能であるため、それぞれの住所の末尾である町名および番地名を省略している。図６に示したように、表示装置７は省略された各々の施設住所を表示している。
【００３７】
ユーザはスクロールスイッチ２２を操作して、表示装置７に表示された施設リストの複数の表示名称中から、所望する施設を選択して車両の目的地あるいは中継地点として入力する。表示装置７に表示された施設リストを見たユーザは、同一チェーン「△△エイト」に属する施設（３）、施設（４）および施設（５）の表示名称としての店名「Ｅ店」、「Ｈ店」および「池田商店」から、施設（３）、施設（４）および施設（５）がどこにある施設かを知ることができる。また、住所により表示された施設（１）および施設（２）は施設（３）、施設（４）および施設（５）を除いたそれ以外の施設であることから、施設（１）および施設（２）についてもどこにある施設かを知ることができ、施設を互いに区別することができる。
【００３８】
本実施形態によれば、制御装置２が指定されたカテゴリに基づき検索された各々の施設について、施設名称を指定されたカテゴリの名称と比較し、カテゴリの名称と施設名称とが同一の場合、施設住所を施設の表示名称とし、カテゴリの名称と施設名称の前部分のみとが同一の場合、施設名称の後部分を施設の表示名称とし、施設名称にカテゴリの名称と一致する部分がない場合、施設名称を施設の表示名称と決定して表示装置７に表示させる。
【００３９】
これにより施設名称が、施設住所、施設名称の後部分および施設名称そのもののいずれかにより表示されるため、表示された複数の施設を互いに区別しやすくなる。また、ユーザは表示された施設名称の後部分あるいは施設名称そのものを見ることにより、これらの施設がどこにある施設かを知ることができるため、住所により表示された施設はそれ以外の施設であることから、住所により表示された施設についてもどこにある施設かを知ることができる。したがって、施設の選択に要する手間と時間を低減でき、目的地等の設定を容易に行うことができる。
【００４０】
また、表示名称として決定した複数の施設の住所が互いに区別可能な場合、表示名称としての住所の末尾を省略している。これにより、施設の表示名称を表示する場合、施設が表示される表示部２０を小さくできるため、表示装置７を小型化できる。
【００４１】
＜実施形態２＞
図７に基づいて、本発明の実施形態２によるカテゴリ検索の方法について説明する。本実施形態においては、検索を行う場合、複数のカテゴリを指定することが可能であり、指定された複数のカテゴリに含まれる施設が検索される。図７に示すように、２つのカテゴリ「□□スター」および「△△エイト」に基づいて施設検索が行われた場合、カテゴリ「□□スター」に含まれる施設の表示名称である「Ｐ店」、「Ｑ店」、「愛知県刈谷市」の前方には、指定されたカテゴリ「□□スター」を表す星印のロゴが付されている。一方、カテゴリ「△△エイト」に含まれる施設の表示名称である「愛知県安城市」、「Ｅ店」の前方にも、指定されたカテゴリ「△△エイト」を表す８を示すロゴが付されている。
【００４２】
本実施形態においては、施設を検索する場合、複数のカテゴリを指定することが可能であり、複数のカテゴリが指定されて施設が検索された場合、施設の表示名称中に指定されたカテゴリごとに異なる識別マークとしてのロゴを含ませている。これにより、異なるカテゴリ間において同一の施設名称があっても、これらの表示名称をロゴによりカテゴリと関連づけて互いに区別することが可能となる。ロゴは、施設のシンボルとしてユーザにとって広く知られたものを使用することがよいことは言うまでもない。
また、表示名称に含ませるものはロゴに限っておらず、検索された各々の施設が所属するカテゴリを認識可能にする識別マークであれば、どのような形態のものであってもよい。
【００４３】
＜実施形態３＞
図８に基づいて、本発明の実施形態３による検索された施設の表示方法について説明する。本実施形態は実施形態１によって決定された施設の表示名称に、さらに変更を加えたものである。図６に示すように、実施形態１によって決定された施設（１）の表示名称としての施設住所「愛知県刈谷市」と施設（２）の表示名称としての施設住所「愛知県安城市」は、ともに同一の地域である愛知県内にある。したがって、本実施形態においては、表示名称としての施設住所から共通する県名を省略している。
【００４４】
本実施形態においては、表示名称として決定した複数の施設の住所が単一の地域内にある場合、表示名称としての施設住所から共通する地域名を省略する。これにより、表示装置７が施設の表示名称を表示する場合、施設が表示される表示部２０を小さくできるため、表示装置７を小型化できる。本実施形態は、カテゴリに加えて施設のある地域を指定して施設検索を行う場合に、表示名称から検索に用いた地域名を省略して表示することで、いっそうの効果を得ることが可能となる。
【００４５】
＜他の実施形態＞
本発明は、上述した実施形態に限定されるものではなく、次のように変形または拡張することができる。
制御装置２のメモリ内に、施設が検索される以前に予め決定された表示名称を記憶させておき、施設が検索された場合、記憶された表示名称を表示装置７に表示させるようにしてもよい。これにより、表示名称を決定する時間を節約することができ、カテゴリを指定してから検索された施設が表示されるまでの時間が短縮できる。
【図面の簡単な説明】
【００４６】
【図１】本実施形態による車載ナビゲーション装置の構成を示すブロック図
【図２】制御装置によるカテゴリ検索のための制御フローチャート
【図３】表示装置に最上位のカテゴリリストが表示されたところを示した図
【図４】表示装置に中位のカテゴリリストが表示されたところを示した図
【図５】表示装置に最下位のカテゴリリストが表示されたところを示した図
【図６】表示装置に施設リストが表示されたところを示した図
【図７】実施形態２により表示装置に施設リストが表示されたところを示した図
【図８】実施形態３により表示装置に施設リストが表示されたところを示した図
【図９】施設検索データの一部を表したイメージ図
【図１０】従来技術により表示される施設リストを示した図
【符号の説明】
【００４７】
図面中、１は車載ナビゲーション装置、２は制御装置（施設検索データ記憶手段、施設検索手段、表示名称変更手段、経路探索手段）、３は位置検出器（現在地検出手段）、５は操作スイッチ群（目的地入力手段）、７は表示装置（検索施設表示手段、経路案内手段）、９はスピーカ（経路案内手段）、１３はリモコン（目的地入力手段）を示す。
【図１】
0004905366.tif 000002
【図２】
0004905366.tif 000003
【図３】
0004905366.tif 000004
【図４】
0004905366.tif 000005
【図５】
0004905366.tif 000006
【図６】
0004905366.tif 000007
【図７】
0004905366.tif 000008
【図８】
0004905366.tif 000009
【図９】
0004905366.tif 000010
【図１０】
0004905366.tif 000011